【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
移動体に装備され、入力部、中央処理部、記憶部、出力部を有するナビゲーション装置において、
前記記憶部は、地域、海域、空域などの旅行域に関するデータを記憶する記憶手段を備え、
前記入力部は、前記移動体が旅行するときの旅行に関わる情報を入力する入力手段を備え、
前記入力手段は、地域における人、二輪車、普通自動車、大型自動車の種別、海域における船舶の種別及び規模、空域における航空機の機種などの移動体の種別データ入力部を有し、
前記各種別ごとの移動体が旅行可能な帯域をブランクとし、該ブランクによって閉じられて単位化される単位帯域をセルとして、前記各移動体ごとに種別が入力されたとき、前記中央処理部は、前記種別ごとに対応する前記セルを演算及び検索をする演算検索手段を備えてなり、
該中央処理部は前記種別ごとのセルを出力表示する出力表示手段を更に有してなる、
ことを特徴とするナビゲーション装置。
【請求項２】
請求の範囲第１項において、前記旅行域の任意の範囲に関わる情報が前記入力部から入力されたときに、前記範囲に所在する前記セルを求める演算検索手段を前記中央処理部が有し、前記範囲と前記範囲に所在する前記セルを前記出力部が出力表示する手段を備えることを特徴とするナビゲーション装置。
【請求項３】
請求の範囲第１項において、目標に関わる情報が前記入力部から入力されたときに、前記目標の周囲の前記セルを求める演算検索手段を前記中央処理部が有し、前記目標の周囲の前記セルを前記出力部が出力表示する手段を備えることを特徴とするナビゲーション装置。
【請求項４】
請求の範囲第１項において、目標に関わる情報が前記入力部から入力されたときに、前記目標の近傍の前記セルを求める演算検索手段を前記中央処理部が有し、前記目標の近傍の前記セルを前記出力部が出力表示する手段を備えることを特徴とするナビゲーション装置。
【請求項５】
請求の範囲第１又は３項において、現在位置に関わる情報が前記入力部から入力されたときに、前記演算検索手段が前記現在位置の周囲の前記セルを求め、前記現在位置の周囲の前記セルを前記出力部が出力表示する手段を備えることを特徴とするナビゲーション装置。
【請求項６】
請求の範囲第１項において、前記現在位置に関わる情報が前記入力部から入力されたときに、前記演算検索手段は現在位置が属する前記セルを求め、前記現在位置が属する前記セルを前記出力部が出力表示する手段を備えることを特徴とするナビゲーション装置。
【請求項７】
請求の範囲第３項において、前記目標の周囲の前記セルと前記目標が属するセルとが共に演算検索され出力表示されるときに前記目標が属する前記セルが明示的に出力表示されることを特徴とするナビゲーション装置。
【請求項８】
請求の範囲第３項において、前記目標の周囲の前記セルと前記目標の近傍のセルとが共に演算検索され出力表示されるときに前記目標の近傍の前記セルが明示的に出力表示されることを特徴とするナビゲーション装置。
【請求項９】
請求の範囲第６項において、前記現在位置の周囲の前記セルと前記現在位置が属する前記セルとが共に演算検索され出力表示されるときに前記現在位置が属する前記セルが明示的に出力表示されることを特徴とするナビゲーション装置。
【請求項１０】
請求の範囲第６項において、前記現在位置の周囲の前記セルと前記現在位置の近傍の前記セルとが共に演算検索され出力表示されるときに前記現在位置の近傍の前記セルが明示的に出力表示されることを特徴とするナビゲーション装置。
【請求項１１】
請求の範囲第１項において、前記ブランクと前記ブランクによって閉じられる前記セルを共に出力表示するときに、前記ブランクに接縁する前記セルを演算検索して出力表示することを特徴とするナビゲーション装置。
【請求項１２】
請求の範囲第１項において、前記ブランクが展延性を有する展延性ブランクであるときに、前記展延性ブランクによって閉じられる前記セルを出力表示するとともに、前記展延性ブランクを出力表示することを特徴とするナビゲーション装置。
【請求項１３】
請求の範囲第１２項において、前記展延性ブランクと前記展延性ブランクによって閉じられる前記セルとを共に出力表示するときに、前記展延性ブランクに接縁する前記セルを演算検索し出力表示することを特徴とするナビゲーション装置。
【請求項１４】
請求の範囲第１３項における、前記展延性ブランクを含む前記ブランクとこのブランクによって閉じられる前記セルとを共に出力表示するときに、目標に最近の前記ブランクに接縁する前記セルを演算検索して出力表示することを特徴とするナビゲーション装置。
【請求項１５】
請求の範囲第１７項における、前記目標に最近の前記ブランクに接縁する前記セルにおいて、前記目標が属する前記セルと同じ側帯に位置する前記セルを演算検索して出力表示することを特徴とするナビゲーション装置。
【請求項１６】
請求の範囲第１２項において、前記展延性ブランクを含む前記ブランクとこの前記ブランクによって閉じられる前記セルとを共に出力表示するときに、前記現在位置に最近のブランクに接縁する前記セルを演算検索して出力表示することを特徴とするナビゲーション装置。
【請求項１７】
請求の範囲第６項において、前記展延性ブランクを含む前記ブランクとこの前記ブランクによって閉じられる前記セルとを共に出力表示するときに、前記現在位置が所在する前記ブランクに接縁する前記セルを演算検索して出力表示することを特徴とするナビゲーション装置。
【請求項１８】
請求の範囲第１７項における、前記ブランクに接縁する前記セルにおいて、旅行が右側か左側のいずれかに限定されている場合に右側に限定されているときは前記ブランクの右側に接縁する前記セルを演算検索して出力表示し、左側に限定されているときは同様に前記ブランクの左側に接縁する前記セルを出力表示することを特徴とするナビゲーション装置。
【請求項１９】
請求の範囲第４項において、前記目標に関する情報と前記現在位置に関する情報とが前記入力部によって入力されたときに、前記目標と現在位置を結ぶ線分を求め前記線分に重なる前記セルを演算検索して出力表示することを特徴とするナビゲーション装置。
【請求項２０】
請求の範囲第４項において、前記目標に関する情報と前記現在位置に関する情報が前記入力部によって入力されたときに、現在位置から前記目標に至るコースを求め、前記コースを構成する前記ブランクに接縁する前記セルを演算検索し出力表示することを特徴とするナビゲーション装置。
【請求項２１】
請求の範囲第２０項における前記ブランクに接縁する前記セルにおいて、旅行が右側か左側のいずれかに限定されている場合に、右側限定であるときに前記コースを構成する前記ブランクの右側に接縁する前記セルを、左側限定であるときは同様に左側に接縁するブランクをそれぞれ演算検索して出力表示することを特徴とするナビゲーション装置。
【請求項２２】
請求の範囲第４項において、目標の周囲のセル、目標が属するセル、目標近傍のセル、これらのセルを閉じるブランクに接縁するセルなどを目標に関連するセルとし、現在位置の周囲のセル、現在位置が属するセル、現在位置近傍のセル、これらのセルを閉じるブランクに接縁するセルなどを現在位置に関連するセルとして、前記目標に関連するセルと前記現在位置に関連するセルが一致したときに、この一致したセルを共通セルとして演算検索して出力表示することを特徴とするナビゲーション装置。
【請求項２３】
請求の範囲第２２項において、前記共通セルが２つ以上あるときに明示的にこの共通セルを出力表示することを特徴とするナビゲーション装置。
【請求項２４】
請求の範囲第２３項において、前記共通セルが２つ以上あって、これらの共通セルが共通のブランクに接縁するときに、これを共通ブランクとして、共通ブランクを共有する共通セルを明示的に出力表示することを特徴とするナビゲーション装置。
【請求項２５】
請求の範囲第２４項において、前記共通ブランクが２つ以上あるときに、これらの共通ブランクを共有する共通セルを明示的に出力表示することを特徴とするナビゲーション装置。
【請求項２６】
請求の範囲第１９項において、前記線分に重なるセルと前記現在位置に関連するセルとが一致したときに、この一致したセルを共通セルとして明示的に出力表示することを特徴とするナビゲーション装置。
【請求項２７】
請求の範囲第２０項において、前記コースを構成する前記ブランクに接縁する前記セルと前記現在位置に関連するセルとが一致したときに、このセルを共通セルとして明示的に出力表示することを特徴とするナビゲーション装置。
【請求項２８】
請求の範囲第１項において、前記セルを表示すると共に、種別ごとの移動体が移動する速度と方向とをベクトルによって出力表示することを特徴とするナビゲーション装置。
【請求項２９】
請求の範囲第１項において、前記セルを表示すると共に、前記セルを回避することができる種別ごとの移動体の速度と方向とを理想ベクトルとして、この理想ベクトルを演算して出力表示することを特徴とするナビゲーション装置。